(57)【要約】【課題】簡単な構成でＬＥＤ基板や導光板の温度上昇による熱変形を抑えて画像不良の発生を防ぐことができる画像読取装置を提供すること。【解決手段】複数のＬＥＤ５４を主走査方向に列状に実装して成るＬＥＤ基板５３と、該ＬＥＤ基板５３上の前記ＬＥＤ５４の光出射方向前方に配置された導光板５５と、原稿からの反射光を偏光するミラーを含んで構成される光学系ユニットを副走査方向に移動させながら原稿画像を読み取る画像読取装置において、前記導光板５５の主走査方向複数箇所を押圧部材５８によって前記ＬＥＤ基板５３上に押圧する。又、前記押圧部材５８の押圧側の面に白塗装を施す。【選択図】図４
2011049808.tif 000002
【特許請求の範囲】
【請求項１】
複数のＬＥＤを主走査方向に列状に実装して成るＬＥＤ基板と、該ＬＥＤ基板上の前記ＬＥＤの光出射方向前方に配置された導光板と、原稿からの反射光を偏光するミラーを含んで構成される光学系ユニットを副走査方向に移動させながら原稿画像を読み取る画像読取装置において、
前記導光板の主走査方向複数箇所を押圧部材によって前記基板上に押圧したことを特徴とする画像読取装置。
【請求項２】
前記押圧部材をバネ部材で構成するとともに、前記ＬＥＤ基板を支持する支持部材の副走査方向端縁に形成されたフランジ部に前記押圧部材の基端部を取り付け、各押圧部材のバネ部先端を前記導光部材に押圧したことを特徴とする請求項１記載の画像読取装置。
【請求項３】
前記押圧部材の押圧側の面に白塗装を施したことを特徴とする請求項１又は２記載の画像読取装置。
【請求項４】
前記押圧部材と前記ＬＥＤ基板との間に所要の絶縁距離が確保されるよう前記押圧部材に傾斜を設けたことを特徴とする請求項１〜３の何れかに記載の画像読取装置。
【請求項５】
請求項１〜４の何れかに記載の画像読取装置を備えることを特徴とする画像形成装置。
【発明の詳細な説明】
【技術分野】
【０００１】
本発明は、ＬＥＤを光源として原稿画像を読み取る画像読取装置とこれを備えた複写機やプリンタ等の画像形成装置に関するものである。
【背景技術】
【０００２】
電子写真方式によって用紙に画像を形成する複写機やプリンタ等の画像形成装置には原稿画像を光学的に読み取るための画像読取装置が設置されるが、この画像読取装置は、一般的には光源やミラー等を備えた光学系キャリッジを有しており、この光学系キャリッジを箱状構造体である光学フレーム内で副走査方向に移動させることによって、ＣＣＤ等の撮像素子によって原稿画像を読み取るよう構成されている。
【０００３】
ところで、近年、斯かる画像読取装置の光源には、立ち上がり時間が短く、省エネルギ化と長寿命化が可能なＬＥＤ（発光ダイオード）が採用されつつある。この場合、高い原稿面照度を確保するために複数のＬＥＤがＬＥＤ基板上に主操作方向に列状に実装される（例えば、特許文献１参照）。
【０００４】
点光源である複数のＬＥＤをＬＥＤ基板上に主操作方向に列状に実装して成る光源を使用する場合、主走査方向にＬＥＤのピッチに相当するリップル状の照度ムラが現れる。このため、ＬＥＤ基板上のＬＥＤの光出射方向前方に導光板を配置し、ＬＥＤから出射される光を導光板によって拡散して照度を主走査方向に均一化して照度ムラを無くすことが行われている（例えば、特許文献２参照）。
【０００５】
ところで、ＬＥＤを光源として用いる画像読取装置においては、ＬＥＤから出射される指向性の高い光を原稿面と反射板に効率的に導くため、導光板はＬＥＤ基板上にその全面が貼り付けられる等の方法によって密着状態で配置されている。
【先行技術文献】
【特許文献】
【０００６】
【特許文献１】特開２００８−１８０８４１号公報
【特許文献２】特開２００８−１７２５６４号公報
【発明の概要】
【発明が解決しようとする課題】
【０００７】
しかしながら、画像読取装置の光源としてＬＥＤを使用する場合、ＬＥＤの発熱量が大きいため、該ＬＥＤを実装するＬＥＤ基板や該ＬＥＤ基板上に全面密着状態で配置された導光板の温度上昇が著しく、これらのＬＥＤ基板や導光板に熱変形が生じる。このようにＬＥＤ基板や導光板が熱変形すると、設計通りの光照射が行われず、原稿面への照射光量が不足したり、部分的な光量不足が発生し、画像不良の発生を招くという問題が生ずる。
【０００８】
そこで、従来、ＬＥＤ基板や導光板に熱変形を防ぐために冷却ファンを設けてＬＥＤ基板や導光板を冷却してそれらの温度上昇を抑えたり、ＬＥＤ基板や導光板を取り付けるための取付板の形状を工夫することによってＬＥＤ基板や導光板の冷却効果を高める等の工夫がなされている。
【０００９】
ところが、近年、画像読取装置の小型化や高速化に伴い筐体である光学フレーム内の温度も上昇傾向にあり、ＬＥＤ基板や導光板の或る程度の温度上昇は避けられないのが実情である。
【００１０】
本発明は上記問題に鑑みてなされたもので、その目的とする処は、簡単な構成でＬＥＤ基板や導光板の温度上昇による熱変形を抑えて画像不良の発生を防ぐことができる画像読取装置及びこれを備えた画像形成装置を提供することにある。
【課題を解決するための手段】
【００１１】
上記目的を達成するため、請求項１記載の発明は、複数のＬＥＤを主走査方向に列状に実装して成るＬＥＤ基板と、該ＬＥＤ基板上の前記ＬＥＤの光出射方向前方に配置された導光板と、原稿からの反射光を偏光するミラーを含んで構成される光学系ユニットを副走査方向に移動させながら原稿画像を読み取る画像読取装置において、前記導光板の主走査方向複数箇所を押圧部材によって前記ＬＥＤ基板上に押圧したことを特徴とする。
【００１２】
請求項２記載の発明は、請求項１記載の発明において、前記押圧部材をバネ部材で構成するとともに、前記ＬＥＤ基板を支持する支持部材の副走査方向端縁に形成されたフランジ部に前記押圧部材の基端部を取り付け、各押圧部材のバネ部先端を前記導光部材に押圧したことを特徴とする。
【００１３】
請求項３記載の発明は、請求項１又は２記載の発明において、前記押圧部材の押圧側の面に白塗装を施したことを特徴とする。
【００１４】
請求項４記載の発明は、請求項１〜３の何れかに記載の発明において、前記押圧部材と前記ＬＥＤ基板との間に所要の絶縁距離が確保されるよう前記押圧部材に傾斜を設けたことを特徴とする。
【００１５】
請求項５記載の画像形成装置は、請求項１〜４の何れかに記載の画像読取装置を備えることを特徴とする。
【発明の効果】
【００１６】
請求項１記載の発明によれば、導光板の主走査方向複数箇所を押圧部材によってＬＥＤ基板上に押圧したため、ＬＥＤから発生する熱によってＬＥＤ基板や導光板の温度が上昇しても、これらの熱変形が押圧部材による導光板のＬＥＤ基板への押圧によって抑えられ、押圧部材を用いた簡単な構成で画像不良の発生が防がれる。
【００１７】
請求項２記載の発明によれば、ＬＥＤ基板を支持する支持部材の副走査方向端縁に形成されたフランジ部に押圧部材の基端部を取り付けることによって該押圧部材を支持部材に簡単に固定することができ、各押圧部材のバネ力によって導光板を押圧してこれをＬＥＤ基板上に密着させることができるため、両者の熱変形を抑制することができる。又、押圧部材を熱伝導率の高い金属で構成すれば、該押圧部材の放熱作用によってＬＥＤ基板や導光板の温度上昇を抑えてそれらの熱変形を一層効果的に抑制することができる。
【００１８】
請求項３記載の発明によれば、押圧部材の押圧側の面に白塗装を施したため、導光板から漏れる光を押圧部材によって反射させて導光板に戻し、この光を原稿面の照射に有効に利用することができる。
【００１９】
請求項４記載の発明によれば、押圧部材の傾斜によって該押圧部材とＬＥＤ基板との間に所要の絶縁距離が確保されるため、ＬＥＤ基板が押圧部材に対して確実に電気的に絶縁され、該ＬＥＤ基板が押圧部材から電気的な悪影響を受けることがない。
【００２０】
請求項５記載の発明によれば、画像読取装置のＬＥＤ基板や導光板の温度上昇による熱変形を簡単な構成で抑えて高質画像を安定的に得ることができる。
【図面の簡単な説明】
【００２１】
【図１】本発明に係る画像形成装置（複合機）の縦断面図である。
【図２】本発明に係る画像読取装置の縦断面図である。
【図３】本発明に係る画像読取装置の第１光学系ユニットの縦断面図である。
【図４】本発明に係る画像読取装置の第１光学系ユニットの斜視図である。
【図５】本発明に係る画像読取装置の第１光学系ユニットを底面側が見た斜視図である。
【図６】本発明に係る画像読取装置に使用される押圧部材の斜視図である。
【発明を実施するための形態】
【００２２】
以下に本発明の実施の形態を添付図面に基づいて説明する。
【００２３】
図１は本発明に係る画像形成装置の縦断面図であり、図示の画像形成装置１は、複写機能とプリンタ機能及びファクシミリ機能を兼備した複合機であって、用紙の両面に画像を形成することができる装置である。この画像形成装置１は、装置本体２とその上部に配された自動原稿搬送装置（ＡＤＦ）３及び本発明に係る画像読取装置４を備えており、装置本体２の内部上方には、画像形成部５が配され、装置本体２内の下半部には用紙収納部６が配されている。又、装置本体２内の画像形成部５と用紙収納部６の間には転写搬送ユニット７と両面搬送ユニット８が配されており、転写搬送ユニット７には反転手段を構成する反転ローラ３６と反転コロ３７が備えられている。
【００２４】
上記画像読取装置４は、原稿画像を光学的に読み取るための装置であって、その構成の詳細は後述する。
【００２５】
前記画像形成部５は、電子写真方式によって画像を形成するものであって、回転可能に配された像担持体としての感光ドラム９と、その周囲に配された帯電器１０、現像装置１１、転写ローラ１２及びクリーニング装置１３の他、現像装置１１に現像剤であるトナーを補給するためのトナーホッパー１４を備えている。尚、画像形成部５の横には、走査光学手段であるレーザースキャナユニット（ＬＳＵ）１５が配置されている。
【００２６】
前記用紙収納部６は、複数枚の用紙が積層収容された着脱可能な４つの給紙カセット１６，１７，１８，１９を備えており、各給紙カセット１６〜１９の近傍には、各給紙カセット１６〜１９内の用紙を上位のものから順次取り出すピックローラ２０と、取り出された用紙を１枚ずつ分離して送り出すフィードローラ２１とリタードローラ２２がそれぞれ配設されている。又、バイパストレイ２３の近傍には、バイパス搬送手段としてのピックローラ２０、フィードローラ２１、リタードローラ２２及び搬送ローラ２４が設けられている。尚、図１において２５，２６，２７は搬送ローラである。
【００２７】
前記転写搬送ユニット７は、用紙収納部６から送り出された用紙を適当なタイミングで画像形成部５へと搬送するとともに、画像形成部５において画像が形成された用紙を不図示の排紙トレイへと排出するものであって、用紙収納部６から画像形成部５に至る第１搬送経路Ｓ１に配置されたレジストローラ２８、前記転写ローラ１２、画像形成部５から排紙手段としての後述の排紙ローラ３１に至る第２搬送経路Ｓ２に設けられた定着装置２９と搬送ローラ３０及び排紙ローラ３１を備えている。ここて、定着装置２９は、圧接状態で互いに回転する定着ローラ２９ａと加圧ローラ２９ｂを備えている。
【００２８】
又、転写搬送ユニット７は画像形成装置本体２に対して着脱可能であって、該転写搬送ユニット７には、第２搬送経路Ｓ２から分岐して両面搬送ユニット８の反転ローラ３６と反転コロ３７に至る横Ｕ字状の第３搬送経路Ｓ３が設けられており、その途中には搬送ローラ３２が設けられている。又、転写搬送ユニット７には前記第３搬送経路Ｓ３とは別に反転搬送経路Ｓ３’が第２搬送経路Ｓ２から分岐して下方に延びており、その途中には搬送ローラ３３が設けられている。そして、第２搬送経路Ｓ２と第３搬送経路Ｓ３との分岐部には、用紙の搬送方向を切り換えるためのフラッパ３４が回動可能に設けられている。
【００２９】
前記両面搬送ユニット８は、画像形成部５において画像が形成された用紙の表裏を反転させるものであって、前記第３搬送経路Ｓ３と反転搬送経路Ｓ３’に連なる中間トレイ３５とその下方に配された第４搬送経路Ｓ４を備えており、中間トレイ３５には、正逆転可能な反転ローラ３６と、該反転ローラ３６に対して圧接／離間する反転コロ３７が設けられている。
【００３０】
又、両面搬送ユニット８には大径の再給紙ローラ３８が回転可能に設けられており、この再給紙ローラ３８の外周には小径のローラ３９，４０が回転可能に当接している。尚、再給紙ローラ３８には不図示の一方向クラッチが設けられている。そして、反転手段を構成する前記反転ローラ３６と反転コロ３７からは第４搬送経路Ｓ４が延びており、この第４搬送経路Ｓ４は前記第１搬送経路Ｓ１に合流している。
【００３１】
上記第４搬送経路Ｓ４には、互いに当接する搬送ローラ４２と搬送コロ４１が用紙搬送方向に沿って３組設けられている。又、再給紙ローラ３８の近傍には、中間トレイ３５に一旦引き込まれた用紙の搬送方向を切り換えるためのフラッパ４３が回動可能に設けられている。尚、本実施の形態では、両面搬送ユニット８の第４搬送経路Ｓ４には、２枚以上の用紙を保留可能な２つ以上の用紙保留位置が備えられている。
【００３２】
ここで、本発明に係る前記画像読取装置４の構成を図２〜図６に基づいて説明する。
【００３３】
図２は本発明に係る画像読取装置の縦断面図、図３は同画像読取装置の第１光学系ユニットの縦断面図、同画像読取装置の第１光学系ユニットの斜視図、図５は同第１光学系ユニットを底面側が見た斜視図、図６は同画像読取装置に使用される押圧部材の斜視図である。
【００３４】
図２に示すように、画像読取装置４は、筐体を構成する箱状構造体である光学フレーム４４を備えており、この光学フレーム４４の上面にはコンタクトガラス４ａが設けられている。
【００３５】
又、光学フレーム４４の内部には、コンタクトガラス４ａ上に載置された原稿Ｇに向けて光を照射して該原稿Ｇを照明する照明部４５と、原稿Ｇにて反射した照射光を９０°方向に反射させる第１反射ミラー４６とで構成される第１光学系ユニット４７と、第１反射ミラー４６にて反射した反射光を９０°方向に反射させる第２反射ミラー４８と、該第２反射ミラー４８にて反射した反射光を更に９０°方向に反射させる第３反射ミラー４９とで構成される第２光学系ユニット５０が不図示のガイドレールに沿って副走査方向（図２の左右方向）に移動可能に収容されている。
【００３６】
更に、光学フレーム４４の内部には結像レンズ５１と撮像素子であるＣＣＤ５２が収容されており、前記第３反射ミラー４９にて反射した原稿Ｇからの反射光は、結像レンズ５１によって収束した後にＣＣＤ５２に入射し、該ＣＣＤ５２上に結像される。
【００３７】
ところで、前記照明部４５は、図３及び図４に示すように、光源としてＬＥＤ基板５３上に主走査方向に列状（アレイ状）に実装された複数のＬＥＤ５４を使用するものであって、ＬＥＤ基板５３上のＬＥＤ５４の光出射方向前方（図３の左方）には主走査方向（図３の紙面垂直方向）に長い導光板５５がその全面をＬＥＤ基板５３に密着した状態で貼り付けられて配置されている。そして、多数のＬＥＤ５４が実装されたＬＥＤ基板５３と導光板５５は、板金のプレス成型品である支持部材５６上に水平に取付支持されている。尚、導光板５５は透明樹脂によって構成されており、これには拡散シートの貼付、表面処理、レンズカット等の拡散処理がなされている。
【００３８】
又、上記支持部材５６上の前記導光板５５に対向する位置には、主走査方向（図３の紙面垂直方向）に長い反射板５７が斜めに取り付けられて配置されている。尚、この反射板５７は、図２及び図３に矢印にて示すようにＬＥＤ５４から導光板５５を通って出射した光Ｌ１を反射させてコンタクトガラス４ａ上の原稿Ｇに照射するためのものである。又、ＬＥＤ５４から導光板５５を通って出射した光Ｌ２は、コンタクトガラス４ａ上の原稿Ｇに向けて照射され、原稿Ｇにて反射した光Ｌ３は鉛直下方に向かい第１反射ミラー４６によって９０°方向に反射される。
【００３９】
而して、本実施の形態では、図３〜図５に示すように、導光板５５の主走査方向（長手方向）複数箇所（本実施の形態では５箇所）がバネ部材である押圧部材５８によってＬＥＤ基板５３上に押圧されている。ここで、押圧部材５８は、図６に示すように、板金をＬ字状に折り曲げて構成され、その基部５８Ａの幅方向中央には円孔状のビス孔５８ａが形成され、その両側には長孔状の位置決め５８ｂと切欠き状の回り止め孔が形成されている。又、押圧部材５８の押圧側の面（図６において斜線を付した面）には反射処理としての白塗装が施されている。
【００４０】
そして、図３に示すように、押圧部材５８には、該押圧部材５８とＬＥＤ基板５３との間に所要の絶縁距離が確保されるよう傾斜が設けられている。
【００４１】
他方、前記支持部材５６の副走査方向端縁（図３の右端縁）には垂直上方に直角に折り曲げられたフランジ部５６Ａが形成されており、図４及び図５に示すように、フランジ部５６Ａの主走査方向（長手方向）複数箇所に５つの押圧部材５８がその基部５８Ａをビス孔５８ａに挿通するビス５９によって螺着されることによって取り付けられており、各押圧部材５８のバネ部５８Ｂの先端が導光板５５の上面をＬＥＤ基板５３側（下方）へと押圧している。ここで、本実施の形態では、５つの押圧部材５８が支持部材５６の主走査方向（長手方向）に等間隔で取り付けられるが、支持部材５８のフランジ部５６Ａの各押圧部材５８が取り付けられる箇所にはピン状のボス５６ａ，５６ｂがそれぞれ突設されている。そして、一方のボス５６ａは押圧部材５８の位置きめ孔５８ｂに嵌合し、他方のボス５６ｂは押圧部材５８の回り止め孔５８ｃに係合しており、これによって各押圧部材５８の位置決めと回り止めがなされている。尚、本実施の形態では、押圧部材５８を板金製としたが、押圧部材５８を樹脂製としても良い。
【００４２】
次に、以上のように構成された図１に示す画像形成装置１の画像形成動作について説明する。
【００４３】
例えば、自動原稿搬送装置３の原稿トレイ３ａにセットされた原稿Ｇが原稿読取部であるコンタクトガラス４ａ上に自動的に搬送され、その原稿Ｇの画像が画像読取装置４によって光学的に読み取られる。即ち、第１光学系ユニット４７と第２光学系ユニット５０が不図示のガイドレールに沿って副走査方向（図１の左右方向）に移動しながらコンタクトガラス４ａ上に載置された原稿Ｇを走査すると、第１光学系ユニット４７のＬＥＤ５４から導光板５５を通過して原稿Ｇに向かう光Ｌ２と反射板５７にて反射して原稿Ｇに向かう光Ｌ１によって原稿Ｇが照射され、原稿Ｇにて反射した反射光Ｌ３は第１光学系ユニット４７の第１反射ミラー４６にて９０°方向に反射する。そして、この光Ｌ３は、第２光学系ユニット５０の第２反射ミラー４８と第３反射ミラー４９にて９０°方向にそれぞれ反射し、結像レンズ５１によって収束した後にＣＣＤ５２に入射し、該ＣＣＤ５２によって読み取られて電気信号に変換される。
【００４４】
上述のようにして原稿Ｇの画像が画像読取装置４によって光学的に読み取られると、画像形成部５においては、感光ドラム９が不図示の駆動手段によって図１の矢印方向（時計方向）に回転駆動され、その表面が帯電器１０によって所定の電位に一様に帯電される。そして、画像読取装置４から送信される電気信号に基づくレーザー光がレーザースキャナユニット１５から出力されて感光ドラム９上に照射されると、該感光ドラム９上に静電潜像が形成される。そして、この感光ドラム９上に形成された静電潜像は、現像装置１１によってトナーを用いて現像されてトナー像として可視像化される。
【００４５】
ところで、カセット給紙を行う場合、用紙収納部６の例えば給紙カセット１６内に収容された用紙は、ピックローラ２０によって最上位のものから１枚ずつピックアップされ、フィードローラ２１とリタードローラ２２によって１枚ずつ分離されて搬送ローラ２５，２６によって第１搬送経路路Ｓ１をレジストローラ２８へと搬送される。そして、レジストローラ２８においては、用紙は、一時待機状態とされた後、感光ドラム９上のトナー像に同期する所定のタイミングで画像形成部５へと供給される。
【００４６】
画像形成部５においては、感光ドラム９と転写ローラ１２との間の転写ニップへと供給された用紙は、転写ローラ１２によって感光ドラム９に押し付けられながら搬送されることによって、その表面（第１面）に感光ドラム９上のトナー像が転写される。そして、トナー像が転写された用紙は、定着装置２９へと搬送され、この定着装置２９の定着ローラ２９ａと加圧ローラ２９ｂ間の定着ニップを通過する過程で加熱及び加圧されてトナー像の定着を受ける。尚、用紙へのトナー像の転写後に感光ドラム９の表面に残留するトナー（転写残トナー）はクリーニング装置１３によって除去される。
【００４７】
而して、定着装置２９にて表面にトナー像が定着された用紙は、フェースアップ排紙（ＦＵ排紙）が選択されている場合には、フラッパ３４によってその搬送方向が決定され、用紙は第２搬送経路Ｓ２をそのまま排紙ローラ３１に向かって搬送され、排紙ローラ３１によって画像面を上にして不図示の排紙トレイへと排出される。
【００４８】
一方、フェースダウン排紙（ＦＤ排紙）又は両面画像モードが選択された場合には、フラッパ３４が動作して用紙の搬送方向が切り換えられ、定着装置２９を通過した用紙は横Ｕ字状の第３搬送経路Ｓ３を通って両面搬送ユニット８へと搬送される。
【００４９】
両面搬送ユニット８においては、反転コロ３７は反転ローラ３６から離間した状態で待機しており、用紙が両面搬送ユニット８に或る一定以上送られると、反転コロ３７は反転ローラ３６に圧接される。このように反転コロ３７が反転ローラ３６に圧接されると、反転ローラ３６が正転されて用紙が送られてきた方向に引き込まれ、用紙が或る一定以上引き込まれると反転ローラ３６が逆転されて用紙がスイッチバックされて反転搬送経路Ｓ３又は第４搬送経路Ｓ４へと送られる。即ち、フェースダウン排紙が選択されている場合には、フラッパ４３によって用紙の搬送方向が反転搬送経路Ｓ３へと切り換えられ、用紙は画像面を下にした状態で排紙ローラ３１によって不図示の排紙トレイへと排出される。
【００５０】
又、両面画像モードが選択されている場合には、フラッパ４３によって用紙の搬送方向が第４面搬送経路Ｓ４の方向に切り換えられ、用紙は、再給紙ローラ３８と反転コロ４１及び搬送ローラ４２によって第４搬送経路Ｓ４を画像面を上にして搬送され、第４搬送経路Ｓ４から第１搬送経路Ｓ１へと受け渡されることによって表裏が反転されて画像面を下にした状態でレジストローラ２８へと送られる。そして、以後は前述と同様のプロセスを経て用紙の反対面（第２面）にトナー像が形成され、このトナー像が形成された用紙は、定着装置２９によってトナー像の定着を受けた後に排紙ローラ対３１によって不図示の排紙トレイへと排出され、該用紙の両面に画像が形成される。
【００５１】
尚、以上はカセット給紙を行う場合について説明したが、手差し給紙を行う場合には、バイパストレイ２３上にセットされた用紙は、ピックローラ２０によって最上位のものから１枚ずつピックアップされ、フィードローラ２１とリタードローラ２２によって１枚ずつ分離されて搬送ローラ２４によって第１搬送経路Ｓ１をレジストローラ２８へと搬送され、以後は前記と同様のプロセスを経て該用紙に画像が形成される。
【００５２】
而して、以上のプロセスを経て用紙に画像を形成する画像形成装置１に設けられた本発明に係る画像読取装置４においては、導光板５５の主走査方向（長手方向）複数箇所（本実施の形態では５箇所）を押圧部材５８によってＬＥＤ基板５３上に押圧したため、ＬＥＤ５４から発生する熱によってＬＥＤ基板５３や導光板５５の温度が上昇しても、これらの熱変形（特に上に凸の湾曲）が押圧部材５８による導光板５５のＬＥＤ基板５３への押圧によって抑えられ、押圧部材５８を用いた簡単な構成で画像不良の発生を防ぐことができる。
【００５３】
又、本実施の形態では、ＬＥＤ基板５３を支持する支持部材５６の副走査方向端縁に形成されたフランジ部５６Ａに押圧部材５８の基端部５８Ａをビス５９によって取り付けることによって該押圧部材５８を支持部材５６に簡単に固定することができ、各押圧部材５８のバネ力によって導光板５５を押圧してこれをＬＥＤ基板５３上に密着させることができるため、両者の熱変形を抑制することができる。そして、本実施の形態では、押圧部材５８を熱伝導率の高い金属で構成したため、該押圧部材５８の放熱作用によってＬＥＤ基板５３や導光板５５の温度上昇を抑えてそれらの熱変形を一層効果的に抑制することができる。
【００５４】
更に、本実施の形態では、各押圧部材５８の押圧側の面に白塗装を施したため、導光板５５から漏れる光を押圧部材５８によって反射させて導光板５５に戻し、この光を原稿Ｇの照射に有効に利用することができるという効果も得られる。
【００５５】
以上のように、本発明に係る画像読取装置４によれば、押圧部材５８で導光板５５の複数箇所を押圧するという簡単な構成でＬＥＤ基板５３や導光板５５の温度上昇による熱変形を抑えることができるため、該画像読取装置４を備えた図１に示す画像形成装置１によって用紙に高質画像を安定的に形成することができる。
【００５６】
又、本実施の形態では、図３に示すように、押圧部材５８の傾斜によって該押圧部材５８とＬＥＤ基板５３との間に所要の絶縁距離が確保されるため、ＬＥＤ基板５３が押圧部材５８に対して確実に電気的に絶縁され、該ＬＥＤ基板５３が押圧部材５８から電気的な悪影響を受けることがないという効果も得られる。
【００５７】
尚、本実施の形態では、本発明を複合機及びこれに備えられた画像読取装置に対して適用した例について説明したが、本発明は、単体としての複写機、プリンタ、ファクシミリ等の他の画像形成装置及びこれに備えられた画像読取装置に対しても同様に適用可能であることは勿論である。又、本実施の形態では、導光板５５の５箇所を押圧部材５８によって押圧する構成を採用したが、導光板５５を押圧する箇所の数は任意に設定することができる。
【符号の説明】
【００５８】
１              画像形成装置
２              画像形成装置本体
３              自動原稿搬送装置
３ａ            原稿トレイ
４              画像読取装置
４ａ            コンタクトガラス
５              画像形成部
６              用紙収納部
７              転写搬送ユニット
８              両面搬送ユニット
９              感光ドラム
１０            帯電器
１１            現像装置
１２            転写ローラ
１３            クリーニング装置
１４            トナーホッパー
１５            レーザースキャナユニット（ＬＳＵ）
１６〜１９      給紙カセット
２０            ピックローラ
２１            フィードローラ
２２            リタードローラ
２３            バイパストレイ
２４〜２７      搬送ローラ
２８            レジストローラ
２９            定着装置
２９ａ          定着ローラ
２９ｂ          加圧ローラ
３０            搬送ローラ
３１            排紙ローラ
３２，３３      搬送ローラ
３４            フラッパ
３５            中間トレイ
３６            反転ローラ
３７            反転コロ
３８            再給紙ローラ
３９，４０      ローラ
４１            搬送コロ
４２            搬送ローラ
４３            フラッパ
４４            光学フレーム
４５            照明部
４６            第１反射ミラー
４７            第１光学系ユニット
４８            第２反射ミラー
４９            第３反射ミラー
５０            第２光学系ユニット
５１            結像レンズ
５２            ＣＣＤ
５３            ＬＥＤ基板
５４            ＬＥＤ
５５            導光板
５６            支持部材
５６Ａ          支持部材のフランジ部
５６ａ，５６ｂ  支持部材のボス
５８            押圧部材
５８Ａ          押圧部材の基部
５８Ｂ          押圧部材のバネ部
５８ａ          押圧部材のビス孔
５８ｂ          押圧部材の位置決め孔
５８ｃ          押圧部材の回り止め孔
５９            ビス
Ｇ              原稿
Ｌ１〜Ｌ３      光
Ｓ１            第１搬送経路
Ｓ２            第２搬送経路
Ｓ３            第３搬送経路
Ｓ３’          反転搬送経路
Ｓ４            第４搬送経路
【図１】
2011049808.tif 000003
【図２】
2011049808.tif 000004
【図３】
2011049808.tif 000005
【図４】
2011049808.tif 000006
【図５】
2011049808.tif 000007
【図６】
2011049808.tif 000008